【手続補正書】
【提出日】平成16年4月19日(2004.4.19)
【手続補正１】
【補正対象書類名】明細書
【補正対象項目名】特許請求の範囲
【補正方法】変更
【補正の内容】
【特許請求の範囲】
【請求項１】
印刷データをプリンタで印刷するために、プリンタドライバにより印刷データの印刷条件を設定する方法であって、
前記プリンタドライバが、印刷データを特定して印刷実行コマンドを生成するステップと、
前記プリンタドライバが、前記印刷データの印刷実行以外のプリンタの制御実行をユーザに選択可能に提供するステップと、
前記プリンタドライバが、前記ユーザの選択に基づき、プリンタ制御コマンドを生成するステップと、
前記プリンタドライバが、前記プリンタ制御コマンドを前記印刷実行コマンドの前後いずれかに配置してスプールデータを生成するステップと
を備えることを特徴とするプリンタドライバによる印刷条件設定方法。
【請求項２】
印刷データをプリンタで印刷するために、プリンタドライバにより印刷データの印刷条件を設定する方法であって、
前記プリンタドライバが、複数の印刷データを特定して各印刷データ毎に印刷実行コマンドを生成するステップと、
前記プリンタドライバが、前記印刷データの印刷実行以外のプリンタの制御実行とその制御実行タイミングとをユーザに選択可能に提供するステップと、
前記プリンタドライバが、前記ユーザの選択に基づき、プリンタ制御コマンドを生成するステップと、
前記プリンタドライバが、前記ユーザの選択したタイミングに基づき、前記プリンタ制御コマンドを前記複数の印刷実行コマンド間に配置してスプールデータを生成するステップと
を備えることを特徴とするプリンタドライバによる印刷条件設定方法。
【請求項３】
印刷データをプリンタで印刷するために、プリンタドライバにより印刷データの印刷条件を設定する方法であって、
前記プリンタドライバが、複数の印刷データを特定して各印刷データ毎に印刷実行コマンドを生成するステップと、
前記プリンタドライバが、前記複数の印刷実行コマンド間に、前記印刷データの印刷実行以外のプリンタの制御実行をユーザに選択可能に提供するステップと、
前記プリンタドライバが、前記ユーザの選択に基づき、プリンタ制御コマンドを生成するステップと、
前記プリンタドライバが、前記プリンタ制御コマンドを前記複数の印刷実行コマンド間に配置してスプールデータを生成するステップと
を備えることを特徴とするプリンタドライバによる印刷条件設定方法。
【請求項４】
印刷データをプリンタで印刷するために、プリンタドライバにより印刷データの印刷条件を設定する方法であって、
前記プリンタドライバが、複数の印刷データを特定して各印刷データ毎に印刷実行コマンドを生成するステップと、
前記プリンタドライバが、所定の印刷実行コマンド数又は所定の印刷データ量に達する場合に、前記印刷データの印刷実行以外のプリンタの制御実行を行うか否かの選択をユーザに促すステップと、
前記プリンタドライバが、前記ユーザの選択に基づき、プリンタ制御コマンドを生成するステップと、
前記プリンタドライバが、前記ユーザの選択に基づき、前記プリンタ制御コマンドを前記複数の印刷実行コマンド間に配置してスプールデータを生成するステップと
を備えることを特徴とするプリンタドライバによる印刷条件設定方法。
【請求項５】
印刷データをプリンタで印刷するために、プリンタドライバにより印刷データの印刷条件を設定する方法であって、
前記プリンタドライバが、ユーザの選択に基づき、前記プリンタによる印刷実行コマンドの実行を一時中止させるステップと、
前記プリンタドライバが、前記印刷データの印刷実行以外のプリンタの制御実行をユーザに選択可能に提供するステップと、
前記プリンタドライバが、ユーザの選択に基づき、プリンタ制御コマンドを生成し、前記プリンタにこのプリンタ制御コマンドを実行させるステップと、
前記プリンタドライバが、ユーザの選択に基づき、前記印刷実行コマンドの実行を再開させるステップと
を備えることを特徴とするプリンタドライバによる印刷条件設定方法。
【請求項６】
前記プリンタドライバが、前記プリンタに接続される端末のモニタに操作画面を表示させ、ユーザがこの操作画面を操作することによりユーザの選択を受け入れるステップをさらに備えることを特徴とする請求項１〜５のいずれかに記載のプリンタドライバによる印刷条件設定方法。
【請求項７】
前記プリンタ制御コマンドは、少なくともノズルチェック、ヘッドクリーニング、印刷ポーズ、印刷媒体送り幅指定、印刷媒体切断のいずれか一つを行うコマンドであることを特徴とする請求項１〜４及び６のいずれかに記載のプリンタドライバによる印刷条件設定方法。
【請求項８】
前記プリンタ制御コマンドは、少なくともノズルチェック及びヘッドクリーニングのいずれか一つを行うコマンドであることを特徴とする請求項５に記載のプリンタドライバによる印刷条件設定方法。
【請求項９】
前記印刷実行コマンド及び前記プリント制御コマンドが実行される順序を、前記プリンタに接続される端末のモニタ上に表示するステップをさらに備えることを特徴とする請求項１〜８のいずれかに記載のプリンタドライバによる印刷条件設定方法。
【請求項１０】
印刷データをプリンタで印刷するために設けられるプリンタドライバであって、
印刷データを特定して印刷実行コマンドを生成する印刷実行コマンド生成手段と、
前記印刷データの印刷実行以外のプリンタの制御実行をユーザに選択可能に提供する制御実行選択手段と、
前記ユーザの選択に基づき、プリンタ制御コマンドを生成するプリンタ制御コマンド生成手段と、
前記プリンタ制御コマンドを前記印刷実行コマンドの前後いずれかに配置してスプールデータを生成するスプールデータ生成手段と
を備えることを特徴とするプリンタドライバ。
【請求項１１】
印刷データをプリンタで印刷するために設けられるプリンタドライバであって、
複数の印刷データを特定して各印刷データ毎に印刷実行コマンドを生成する印刷実行コマンド生成手段と、
前記印刷データの印刷実行以外のプリンタの制御実行とその制御実行タイミングとをユーザに選択可能に提供する制御実行選択手段と、
前記ユーザの選択に基づき、プリンタ制御コマンドを生成するプリンタ制御コマンド生成手段と、
前記ユーザの選択したタイミングに基づき、前記プリンタ制御コマンドを前記複数の印刷実行コマンド間に配置してスプールデータを生成するスプールデータ生成手段と
を備えることを特徴とするプリンタドライバ。
【請求項１２】
印刷データをプリンタで印刷するために設けられるプリンタドライバであって、
複数の印刷データを特定して各印刷データ毎に印刷実行コマンドを生成する印刷実行コマンド生成手段と、
前記複数の印刷実行コマンド間に、前記印刷データの印刷実行以外のプリンタの制御実行をユーザに選択可能に提供する制御実行選択手段と、
前記ユーザの選択に基づき、プリンタ制御コマンドを生成するプリンタ制御コマンド生成手段と、
前記ユーザの選択に基づき、前記プリンタ制御コマンドを前記複数の印刷実行コマンド間に配置してスプールデータを生成するスプールデータ生成手段と
を備えることを特徴とするプリンタドライバ。
【請求項１３】
印刷データをプリンタで印刷するために設けられるプリンタドライバであって、
複数の印刷データを特定して各印刷データ毎に印刷実行コマンドを生成する印刷実行コマンド生成手段と、
所定の印刷実行コマンド数又は所定の印刷データ量に達する場合に、前記印刷データの印刷実行以外のプリンタの制御実行を行うか否かの選択をユーザに促す制御実行選択手段と、
前記ユーザの選択に基づき、プリンタ制御コマンドを生成するプリンタ制御コマンド生成手段と、
前記ユーザの選択に基づき、前記プリンタ制御コマンドを前記複数の印刷実行コマンド間に配置してスプールデータを生成するスプールデータ生成手段と
を備えることを特徴とするプリンタドライバ。
【請求項１４】
印刷データをプリンタで印刷するために設けられるプリンタドライバであって、
ユーザの選択に基づき、前記プリンタによる印刷実行コマンドの実行を一時中止させる手段と、
前記印刷データの印刷実行以外のプリンタの制御実行をユーザに選択可能に提供する制御実行選択手段と、
ユーザの選択に基づき、プリンタ制御コマンドを生成し、前記プリンタにこのプリンタ制御コマンドを実行させる手段と、
ユーザの選択に基づき、前記印刷実行コマンドの実行を再開させる手段と
を備えることを特徴とするプリンタドライバ。
【請求項１５】
前記制御実行選択手段は、前記プリンタが接続される端末のモニタに表示される操作画面であることを特徴とする請求項１０〜１４のいずれかに記載のプリンタドライバ。
【請求項１６】
前記プリンタ制御コマンドは、少なくともノズルチェック、ヘッドクリーニング、印刷ポーズ、印刷媒体送り幅指定、印刷媒体切断のいずれか一つを行うコマンドであることを特徴とする請求項１０〜１３及び１５のいずれかに記載のプリンタドライバ。
【請求項１７】
前記プリンタ制御コマンドは、少なくともノズルチェック及びヘッドクリーニングのいずれか一つを行うコマンドであることを特徴とする請求項１４に記載のプリンタドライバ。
【請求項１８】
前記印刷実行コマンド及び前記プリント制御コマンドが実行される順序を、前記プリンタに接続される端末のモニタ上に表示する実行順序表示手段をさらに備えることを特徴とする請求項１０〜１７のいずれかに記載のプリンタドライバ。
【請求項１９】
プリンタドライバが、印刷データを特定して印刷実行コマンドを生成するステップと、
前記プリンタドライバが、前記印刷データの印刷実行以外のプリンタの制御実行をユーザに選択可能に提供するステップと、
前記プリンタドライバが、前記ユーザの選択に基づき、プリンタ制御コマンドを生成するステップと、
前記プリンタドライバが、前記プリンタ制御コマンドを前記印刷実行コマンドの前後いずれかに配置してスプールデータを生成するステップと
を実行させるためのプログラムを記録したコンピュータ読み取り可能な記録媒体。
【請求項２０】
プリンタドライバが、複数の印刷データを特定して各印刷データ毎に印刷実行コマンドを生成するステップと、
前記プリンタドライバが、前記印刷データの印刷実行以外のプリンタの制御実行とその制御実行タイミングとをユーザに選択可能に提供するステップと、
前記プリンタドライバが、前記ユーザの選択に基づき、プリンタ制御コマンドを生成するステップと、
前記プリンタドライバが、前記ユーザの選択したタイミングに基づき、前記プリンタ制御コマンドを前記複数の印刷実行コマンド間に配置してスプールデータを生成するステップと
を実行させるためのプログラムを記録したコンピュータ読み取り可能な記録媒体。
【請求項２１】
プリンタドライバが、複数の印刷データを特定して各印刷データ毎に印刷実行コマンドを生成するステップと、
前記プリンタドライバが、前記複数の印刷実行コマンド間に、前記印刷データの印刷実行以外のプリンタの制御実行をユーザに選択可能に提供するステップと、
前記プリンタドライバが、前記ユーザの選択に基づき、プリンタ制御コマンドを生成するステップと、
前記プリンタドライバが、前記プリンタ制御コマンドを前記複数の印刷実行コマンド間に配置してスプールデータを生成するステップと
を実行させるためのプログラムを記録したコンピュータ読み取り可能な記録媒体。
【請求項２２】
プリンタドライバが、複数の印刷データを特定して各印刷データ毎に印刷実行コマンドを生成するステップと、
前記プリンタドライバが、所定の印刷実行コマンド数又は所定の印刷データ量に達する場合に、前記印刷データの印刷実行以外のプリンタの制御実行を行うか否かの選択をユーザに促すステップと、
前記プリンタドライバが、前記ユーザの選択に基づき、プリンタ制御コマンドを生成するステップと、
前記プリンタドライバが、前記ユーザの選択に基づき、前記プリンタ制御コマンドを前記複数の印刷実行コマンド間に配置してスプールデータを生成するステップと
を実行させるためのプログラムを記録したコンピュータ読み取り可能な記録媒体。
【請求項２３】
プリンタドライバが、ユーザの選択に基づき、前記プリンタによる印刷実行コマンドの実行を一時中止させるステップと、
前記プリンタドライバが、印刷データの印刷実行以外のプリンタの制御実行をユーザに選択可能に提供するステップと、
前記プリンタドライバが、ユーザの選択に基づき、プリンタ制御コマンドを生成し、前記プリンタにこのプリンタ制御コマンドを実行させるステップと、
前記プリンタドライバが、ユーザの選択に基づき、前記印刷実行コマンドの実行を再開させるステップと
を実行させるためのプログラムを記録したコンピュータ読み取り可能な記録媒体。
【請求項２４】
前記プリンタドライバが、前記プリンタに接続される端末のモニタに操作画面を表示させ、ユーザがこの操作画面を操作することによりユーザの選択を受け入れるステップをさらに備えることを特徴とする請求項１９〜２３のいずれかに記載のプログラムを記録したコンピュータ読み取り可能な記録媒体。
【請求項２５】
前記プリンタ制御コマンドは、少なくともノズルチェック、ヘッドクリーニング、印刷ポーズ、印刷媒体送り幅指定、印刷媒体切断のいずれか一つを行うコマンドであることを特徴とする請求項１９〜２２及び２４のいずれかに記載のプログラムを記録したコンピュータ読み取り可能な記録媒体。
【請求項２６】
前記プリンタ制御コマンドは、少なくともノズルチェック及びヘッドクリーニングのいずれか一つを行うコマンドであることを特徴とする請求項２３に記載のプログラムを記録したコンピュータ読み取り可能な記録媒体。
【請求項２７】
前記印刷実行コマンド及び前記プリント制御コマンドが実行される順序を、前記プリンタに接続される端末のモニタ上に表示するステップをさらに備えることを特徴とする請求項１９〜２６のいずれかに記載のプログラムを記録したコンピュータ読み取り可能な記録媒体。
【手続補正２】
【補正対象書類名】明細書
【補正対象項目名】０００７
【補正方法】変更
【補正の内容】
【０００７】
請求項２に記載の発明は、印刷データをプリンタで印刷するために、プリンタドライバにより印刷データの印刷条件を設定する方法であって、前記プリンタドライバが、複数の印刷データを特定して各印刷データ毎に印刷実行コマンドを生成するステップと、前記プリンタドライバが、前記印刷データの印刷実行以外のプリンタの制御実行とその制御実行タイミングとをユーザに選択可能に提供するステップと、前記プリンタドライバが、前記ユーザの選択に基づき、プリンタ制御コマンドを生成するステップと、前記プリンタドライバが、前記ユーザの選択したタイミングに基づき、前記プリンタ制御コマンドを前記複数の印刷実行コマンド間に配置してスプールデータを生成するステップとを備えることを要旨とする。
請求項３に記載の発明は、印刷データをプリンタで印刷するために、プリンタドライバにより印刷データの印刷条件を設定する方法であって、前記プリンタドライバが、複数の印刷データを特定して各印刷データ毎に印刷実行コマンドを生成するステップと、前記プリンタドライバが、前記複数の印刷実行コマンド間に、前記印刷データの印刷実行以外のプリンタの制御実行をユーザに選択可能に提供するステップと、前記プリンタドライバが、前記ユーザの選択に基づき、プリンタ制御コマンドを生成するステップと、前記プリンタドライバが、前記プリンタ制御コマンドを前記複数の印刷実行コマンド間に配置してスプールデータを生成するステップとを備えることを要旨とする。
【手続補正３】
【補正対象書類名】明細書
【補正対象項目名】０００８
【補正方法】変更
【補正の内容】
【０００８】
請求項４に記載の発明は、印刷データをプリンタで印刷するために、プリンタドライバにより印刷データの印刷条件を設定する方法であって、前記プリンタドライバが、複数の印刷データを特定して各印刷データ毎に印刷実行コマンドを生成するステップと、前記プリンタドライバが、所定の印刷実行コマンド数又は所定の印刷データ量に達する場合に、前記印刷データの印刷実行以外のプリンタの制御実行を行うか否かの選択をユーザに促すステップと、前記プリンタドライバが、前記ユーザの選択に基づき、プリンタ制御コマンドを生成するステップと、前記プリンタドライバが、前記ユーザの選択に基づき、前記プリンタ制御コマンドを前記複数の印刷実行コマンド間に配置してスプールデータを生成するステップとを備えることを要旨とする。
請求項５に記載の発明は、印刷データをプリンタで印刷するために、プリンタドライバにより印刷データの印刷条件を設定する方法であって、前記プリンタドライバが、ユーザの選択に基づき、前記プリンタによる印刷実行コマンドの実行を一時中止させるステップと、前記プリンタドライバが、前記印刷データの印刷実行以外のプリンタの制御実行をユーザに選択可能に提供するステップと、前記プリンタドライバが、ユーザの選択に基づき、プリンタ制御コマンドを生成し、前記プリンタにこのプリンタ制御コマンドを実行させるステップと、前記プリンタドライバが、ユーザの選択に基づき、前記印刷実行コマンドの実行を再開させるステップとを備えることを要旨とする。
【手続補正４】
【補正対象書類名】明細書
【補正対象項目名】０００９
【補正方法】変更
【補正の内容】
【０００９】
請求項６に記載の発明は、請求項１〜５のいずれかに記載のプリンタドライバによる印刷条件設定方法において、前記プリンタドライバが、前記プリンタに接続される端末のモニタに操作画面を表示させ、ユーザがこの操作画面を操作することによりユーザの選択を受け入れるステップをさらに備えることを要旨とする。


【手続補正５】
【補正対象書類名】明細書
【補正対象項目名】００１０
【補正方法】変更
【補正の内容】
【００１０】
請求項７に記載の発明は、請求項１〜４及び６のいずれかに記載のプリンタドライバによる印刷条件設定方法において、前記プリンタ制御コマンドは、少なくともノズルチェック、ヘッドクリーニング、印刷ポーズ、印刷媒体送り幅指定、印刷媒体切断のいずれか一つを行うコマンドであることを要旨とする。
請求項８に記載の発明は、請求項５に記載のプリンタドライバによる印刷条件設定方法において、前記プリンタ制御コマンドは、少なくともノズルチェック及びヘッドクリーニングのいずれか一つを行うコマンドであることを要旨とする。
【手続補正６】
【補正対象書類名】明細書
【補正対象項目名】００１１
【補正方法】変更
【補正の内容】
【００１１】
請求項９に記載の発明は、請求項１〜８のいずれかに記載のプリンタドライバによる印刷条件設定方法において、前記印刷実行コマンド及び前記プリント制御コマンドが実行される順序を、前記プリンタに接続される端末のモニタ上に表示するステップをさらに備えることを要旨とする。


【手続補正７】
【補正対象書類名】明細書
【補正対象項目名】００１２
【補正方法】変更
【補正の内容】
【００１２】
請求項１０に記載の発明は、印刷データをプリンタで印刷するために設けられるプリンタドライバであって、印刷データを特定して印刷実行コマンドを生成する印刷実行コマンド生成手段と、前記印刷データの印刷実行以外のプリンタの制御実行をユーザに選択可能に提供する制御実行選択手段と、前記ユーザの選択に基づき、プリンタ制御コマンドを生成するプリンタ制御コマンド生成手段と、前記プリンタ制御コマンドを前記印刷実行コマンドの前後いずれかに配置してスプールデータを生成するスプールデータ生成手段とを備えることを要旨とする。


【手続補正８】
【補正対象書類名】明細書
【補正対象項目名】００１３
【補正方法】変更
【補正の内容】
【００１３】
請求項１１に記載の発明は、印刷データをプリンタで印刷するために設けられるプリンタドライバであって、複数の印刷データを特定して各印刷データ毎に印刷実行コマンドを生成する印刷実行コマンド生成手段と、前記印刷データの印刷実行以外のプリンタの制御実行とその制御実行タイミングとをユーザに選択可能に提供する制御実行選択手段と、前記ユーザの選択に基づき、プリンタ制御コマンドを生成するプリンタ制御コマンド生成手段と、前記ユーザの選択したタイミングに基づき、前記プリンタ制御コマンドを前記複数の印刷実行コマンド間に配置してスプールデータを生成するスプールデータ生成手段とを備えることを要旨とする。
請求項１２に記載の発明は、印刷データをプリンタで印刷するために設けられるプリンタドライバであって、複数の印刷データを特定して各印刷データ毎に印刷実行コマンドを生成する印刷実行コマンド生成手段と、前記複数の印刷実行コマンド間に、前記印刷データの印刷実行以外のプリンタの制御実行をユーザに選択可能に提供する制御実行選択手段と、
前記ユーザの選択に基づき、プリンタ制御コマンドを生成するプリンタ制御コマンド生成手段と、前記ユーザの選択に基づき、前記プリンタ制御コマンドを前記複数の印刷実行コマンド間に配置してスプールデータを生成するスプールデータ生成手段とを備えることを要旨とする。
【手続補正９】
【補正対象書類名】明細書
【補正対象項目名】００１４
【補正方法】変更
【補正の内容】
【００１４】
請求項１３に記載の発明は、印刷データをプリンタで印刷するために設けられるプリンタドライバであって、複数の印刷データを特定して各印刷データ毎に印刷実行コマンドを生成する印刷実行コマンド生成手段と、所定の印刷実行コマンド数又は所定の印刷データ量に達する場合に、前記印刷データの印刷実行以外のプリンタの制御実行を行うか否かの選択をユーザに促す制御実行選択手段と、前記ユーザの選択に基づき、プリンタ制御コマンドを生成するプリンタ制御コマンド生成手段と、前記ユーザの選択に基づき、前記プリンタ制御コマンドを前記複数の印刷実行コマンド間に配置してスプールデータを生成するスプールデータ生成手段とを備えることを要旨とする。
請求項１４に記載の発明は、印刷データをプリンタで印刷するために設けられるプリンタドライバであって、ユーザの選択に基づき、前記プリンタによる印刷実行コマンドの実行を一時中止させる手段と、前記印刷データの印刷実行以外のプリンタの制御実行をユーザに選択可能に提供する制御実行選択手段と、ユーザの選択に基づき、プリンタ制御コマンドを生成し、前記プリンタにこのプリンタ制御コマンドを実行させる手段と、ユーザの選択に基づき、前記印刷実行コマンドの実行を再開させる手段とを備えることを要旨とする。
【手続補正１０】
【補正対象書類名】明細書
【補正対象項目名】００１５
【補正方法】変更
【補正の内容】
【００１５】
請求項１５に記載の発明は、請求項１０〜１４のいずれかに記載のプリンタドライバにおいて、前記制御実行選択手段は、前記プリンタが接続される端末のモニタに表示される操作画面であることを要旨とする。


【手続補正１１】
【補正対象書類名】明細書
【補正対象項目名】００１６
【補正方法】変更
【補正の内容】
【００１６】
請求項１６に記載の発明は、請求項１０〜１３及び１５のいずれかに記載のプリンタドライバにおいて、前記プリンタ制御コマンドは、少なくともノズルチェック、ヘッドクリーニング、印刷ポーズ、印刷媒体送り幅指定、印刷媒体切断のいずれか一つを行うコマンドであることを要旨とする。
請求項１７に記載の発明は、請求項１４に記載のプリンタドライバにおいて、前記プリンタ制御コマンドは、少なくともノズルチェック及びヘッドクリーニングのいずれか一つを行うコマンドであることを要旨とする。
【手続補正１２】
【補正対象書類名】明細書
【補正対象項目名】００１７
【補正方法】変更
【補正の内容】
【００１７】
請求項１８に記載の発明は、請求項１０〜１７のいずれかに記載のプリンタドライバにおいて、前記印刷実行コマンド及び前記プリント制御コマンドが実行される順序を、前記プリンタに接続される端末のモニタ上に表示する実行順序表示手段をさらに備えることを要旨とする。


【手続補正１３】
【補正対象書類名】明細書
【補正対象項目名】００１８
【補正方法】変更
【補正の内容】
【００１８】
請求項１９に記載の発明は、プリンタドライバが、印刷データを特定して印刷実行コマンドを生成するステップと、前記プリンタドライバが、前記印刷データの印刷実行以外のプリンタの制御実行をユーザに選択可能に提供するステップと、前記プリンタドライバが、前記ユーザの選択に基づき、プリンタ制御コマンドを生成するステップと、前記プリンタドライバが、前記プリンタ制御コマンドを前記印刷実行コマンドの前後いずれかに配置してスプールデータを生成するステップとを実行させるためのプログラムを記録したことを要旨とする。


【手続補正１４】
【補正対象書類名】明細書
【補正対象項目名】００１９
【補正方法】変更
【補正の内容】
【００１９】
請求項２０に記載の発明は、プリンタドライバが、複数の印刷データを特定して各印刷データ毎に印刷実行コマンドを生成するステップと、前記プリンタドライバが、前記印刷データの印刷実行以外のプリンタの制御実行とその制御実行タイミングとをユーザに選択可能に提供するステップと、前記プリンタドライバが、前記ユーザの選択に基づき、プリンタ制御コマンドを生成するステップと、前記プリンタドライバが、前記ユーザの選択したタイミングに基づき、前記プリンタ制御コマンドを前記複数の印刷実行コマンド間に配置してスプールデータを生成するステップとを実行させるためのプログラムを記録したことを要旨とする。
請求項２１に記載の発明は、プリンタドライバが、複数の印刷データを特定して各印刷データ毎に印刷実行コマンドを生成するステップと、前記プリンタドライバが、前記複数の印刷実行コマンド間に、前記印刷データの印刷実行以外のプリンタの制御実行をユーザに選択可能に提供するステップと、前記プリンタドライバが、前記ユーザの選択に基づき、プリンタ制御コマンドを生成するステップと、前記プリンタドライバが、前記プリンタ制御コマンドを前記複数の印刷実行コマンド間に配置してスプールデータを生成するステップとを実行させるためのプログラムを記録したことを要旨とする。
【手続補正１５】
【補正対象書類名】明細書
【補正対象項目名】００２０
【補正方法】変更
【補正の内容】
【００２０】
請求項２２に記載の発明は、プリンタドライバが、複数の印刷データを特定して各印刷データ毎に印刷実行コマンドを生成するステップと、前記プリンタドライバが、所定の印刷実行コマンド数又は所定の印刷データ量に達する場合に、前記印刷データの印刷実行以外のプリンタの制御実行を行うか否かの選択をユーザに促すステップと、前記プリンタドライバが、前記ユーザの選択に基づき、プリンタ制御コマンドを生成するステップと、前記プリンタドライバが、前記ユーザの選択に基づき、前記プリンタ制御コマンドを前記複数の印刷実行コマンド間に配置してスプールデータを生成するステップとを実行させるためのプログラムを記録したことを要旨とする。
請求項２３に記載の発明は、プリンタドライバが、ユーザの選択に基づき、前記プリンタによる印刷実行コマンドの実行を一時中止させるステップと、前記プリンタドライバが、印刷データの印刷実行以外のプリンタの制御実行をユーザに選択可能に提供するステップと、前記プリンタドライバが、ユーザの選択に基づき、プリンタ制御コマンドを生成し、前記プリンタにこのプリンタ制御コマンドを実行させるステップと、前記プリンタドライバが、ユーザの選択に基づき、前記印刷実行コマンドの実行を再開させるステップとを実行させるためのプログラムを記録したことを要旨とする。
【手続補正１６】
【補正対象書類名】明細書
【補正対象項目名】００２１
【補正方法】変更
【補正の内容】
【００２１】
請求項２４に記載の発明は、請求項１９〜２３のいずれかに記載のプログラムを記録したコンピュータ読み取り可能な記録媒体において、前記プリンタドライバが、前記プリンタに接続される端末のモニタに操作画面を表示させ、ユーザがこの操作画面を操作することによりユーザの選択を受け入れるステップをさらに備えることを要旨とする。


【手続補正１７】
【補正対象書類名】明細書
【補正対象項目名】００２２
【補正方法】変更
【補正の内容】
【００２２】
請求項２５に記載の発明は、請求項１９〜２２及び２４のいずれかに記載のプログラムを記録したコンピュータ読み取り可能な記録媒体において、前記プリンタ制御コマンドは、少なくともノズルチェック、ヘッドクリーニング、印刷ポーズ、印刷媒体送り幅指定、印刷媒体切断のいずれか一つを行うコマンドであることを要旨とする。
請求項２６に記載の発明は、請求項２３に記載のプログラムを記録したコンピュータ読み取り可能な記録媒体において、前記プリンタ制御コマンドは、少なくともノズルチェック及びヘッドクリーニングのいずれか一つを行うコマンドであることを要旨とする。
【手続補正１８】
【補正対象書類名】明細書
【補正対象項目名】００２３
【補正方法】変更
【補正の内容】
【００２３】
請求項２７に記載の発明は、請求項１９〜２６のいずれかに記載のプログラムを記録したコンピュータ読み取り可能な記録媒体において、前記印刷実行コマンド及び前記プリント制御コマンドが実行される順序を、前記プリンタに接続される端末のモニタ上に表示するステップをさらに備えることを要旨とする。


【手続補正１９】
【補正対象書類名】明細書
【補正対象項目名】００２４
【補正方法】変更
【補正の内容】
【００２４】
（作用）
請求項１、１０、１９に記載の発明によれば、プリンタドライバにより、印刷実行コマンドの前後にプリンタ制御コマンドを配置してスプールデータを生成することができる。このため、印刷実行前にプリンタ制御コマンドの指定を行うことができる。また、プリンタ制御コマンドをユーザに選択可能に提供しているため、ユーザが必要なプリンタ制御コマンドを適宜選択することができる。


【手続補正２０】
【補正対象書類名】明細書
【補正対象項目名】００２５
【補正方法】変更
【補正の内容】
【００２５】
請求項２、１１、２０に記載の発明によれば、プリンタドライバにより、複数の印刷実行コマンド間にプリンタ制御コマンドを配置してスプールデータを生成することができる。このため、印刷実行前にプリンタ制御コマンドの指定を行うことができる。また、プリンタ制御コマンドをユーザに選択可能に提供しているため、ユーザが必要なプリンタ制御コマンドを適宜選択することができる。
請求項３、１２、２１に記載の発明によれば、プリンタドライバにより、複数の印刷実行コマンド間にプリンタの制御コマンドを配置してスプールデータを生成することができる。このため、印刷実行前にプリンタ制御コマンドの指定を行うことができる。また、プリンタ制御コマンドをユーザに選択可能に提供しているため、ユーザが必要なプリンタ制御コマンドを適宜選択することができる。
【手続補正２１】
【補正対象書類名】明細書
【補正対象項目名】００２６
【補正方法】変更
【補正の内容】
【００２６】
請求項４、１３、２２に記載の発明によれば、プリンタドライバにより、複数の印刷実行コマンド間にプリンタ制御コマンドを配置してスプールデータを生成することができる。このため、印刷実行前にプリンタ制御コマンドの指定を行うことができる。また、プリンタドライバが、所定の印刷実行コマンド数又は所定の印刷データ量に達する場合に、印刷データの印刷実行以外のプリンタの制御実行を行うか否かの選択をユーザに促す。このため、プリンタの制御コマンドの実行のタイミングをユーザに知らせることができ、ユーザがプリンタ制御コマンドの指定を忘れることを抑制できる。
請求項５、１４、２３に記載の発明によれば、プリンタドライバにより、印刷実行コマンドの実行を一時中止し、プリンタの制御実行を実行させることができる。そして、プリンタドライバにより、印刷実行コマンドの実行を再開させることができる。
【手続補正２２】
【補正対象書類名】明細書
【補正対象項目名】００２７
【補正方法】変更
【補正の内容】
【００２７】
請求項６、１５、２４に記載の発明によれば、プリンタに接続される端末のモニタに操作画面が表示され、ユーザがこの操作画面を操作することによりユーザの選択を受け入れる。従って、モニタの操作画面により各コマンドの実行を指定することができ、ユーザが容易に操作を行うことができる。


【手続補正２３】
【補正対象書類名】明細書
【補正対象項目名】００２８
【補正方法】変更
【補正の内容】
【００２８】
請求項７、１６、２５に記載の発明によれば、プリンタ制御コマンドは、少なくともノズルチェック、ヘッドクリーニング、印刷ポーズ、印刷媒体送り幅指定、印刷媒体切断のいずれか一つを行うコマンドである。従って、これらのコマンドを印刷実行前に指定することができ、印刷実行時に印刷データの印刷とともに、ノズルチェック、ヘッドクリーニング、印刷ポーズ、印刷媒体送り幅指定、又は印刷媒体切断が行われる。
請求項８、１７、２６に記載の発明によれば、プリンタ制御コマンドは、少なくともノズルチェック及びヘッドクリーニングのいずれか一つを行うコマンドである。従って、これらのコマンドを印刷実行前に指定することができ、印刷実行時に印刷データの印刷とともに、ノズルチェック又はヘッドクリーニングが行われる。
【手続補正２４】
【補正対象書類名】明細書
【補正対象項目名】００２９
【補正方法】変更
【補正の内容】
【００２９】
請求項９、１８、２７に記載の発明によれば、印刷実行コマンド及びプリント制御コマンドが実行される順序が、プリンタに接続される端末のモニタ上に表示される。このため、ユーザは各種コマンドが実行される順序を容易に把握することができる。